(57)【要約】【課題】  指紋識別の操作によって自動的にユーザーのアカウント・データとパスワードなどの情報を該当するポジションに記入する方法を提供する。【解決手段】  コンピュータ１０のマザー・ボードにおいて指紋識別モジュール２０を組立て、且つ指紋入力モジュール３０を電気的に接続し、また、そのコンピュータ１０がインターネットにアクセスする機能を有し、複数のＵＲＬウェブ・サイトのホーム・ページ１１をオープンでき、また、そのコンピュータ１０が複数のアプリケーション・プログラム１２をオペレーティングできる能力を有するように設定する。【選択図】      図１
2005250776.tif 000002
【特許請求の範囲】
【請求項１】
少なくとも一つのＵＲＬウェブ・サイトと、それと対応する少なくとも一つのユーザーの予め記憶される識別コードとアカウント・データとパスワードとを作成するステップ一と、
前記ＵＲＬウェブ・サイトの、ユーザーのアカウント・データとパスワードを入力する必要があるホーム・ページをアクセスするステップ二と、
指紋映像信号を入力するとともに、それを指紋識別コードに転換するステップ三と、
前記指紋識別コードと前記予め記憶される識別コードとが一致しているかを比較判断するステップ四と、
両者が一致した場合では、前記ＵＲＬウェブ・サイトにおける対応するユーザーのアカウント・データとパスワードとをキャッチするとともに、当該ホーム・ページにおける対応する位置に記入するステップ五とからなることを特徴とする指紋識別技術利用ユーザー情報自動記入方法。
【請求項２】
前記ＵＲＬウェブ・サイトと、それと対応するユーザーの予め記憶される識別コードを作成するステップ一においては、
前記少なくとも一つのＵＲＬウェヴ・サイトにおけるユーザーのアカウント・データとパスワードとを入力する必要のあるホーム・ページをアクセスするステップ一の一と、
前記ホーム・ページにおけるアカウント・データとパスワードの所在すべき位置にそのユーザーのアカウント・データとパスワードとを記入するステップ一の二と、
ユーザーの指紋映像信号を入力するステップ一の三と、
前記指紋映像信号を予め記憶される識別コードに転換するステップ一の四と、
前記ユーザーの記入するアカウント・データとパスワードとをキャッチするステップ一の五と、
そのＵＲＬウェブ・サイトと前記ユーザーの前記予め記憶される識別コードとアカウント・データとパスワードとを記憶するステップ一の六とをさらに有することを特徴とする請求項１に記載の指紋識別技術利用ユーザー情報自動記入方法。
【請求項３】
前記ＵＲＬウェブ・サイトを作成するステップ一において、
データベースを作成し、且つその内部に少なくとも一つのＵＲＬウェブ・サイトと、それと対応する少なくとも一人のユーザーの予め記憶されるアカウント・データとパスワードとを記憶するプロセスとを有することを特徴とする請求項１に記載の指紋識別技術利用ユーザー情報自動記入方法。
【請求項４】
前記の指紋映像信号を入力するステップ三において、
コンピュータ・システムに指紋入力モジュールをリンクするプロセスと、ユーザーの指紋を入力するプロセスと、指紋映像信号を生成するプロセスとを有することを特徴とする請求項１に記載の指紋識別技術利用ユーザー情報自動記入方法。
【請求項５】
前記指紋識別コードへの転換するステップ三において、
指紋識別モジュールによって前記指紋映像信号における指紋の特徴値を繰り出してエンコーディングしてから前記指紋識別コードを生成するプロセスを有することを特徴とする請求項１に記載の指紋識別技術利用ユーザー情報自動記入方法。
【請求項６】
前記指紋識別コードを比較するステップ四において、
前記ＵＲＬウェブ・サイトの対応する予め記憶される識別コードをキャッチするプロセスをさらに有することを特徴とする請求項１に記載の指紋識別技術利用ユーザー情報自動記入方法。
【請求項７】
前記指紋識別コードを比較判断するステップ四において、
それぞれのユーザーの予め記憶される識別コードが、前記指紋識別コードと一致しているかを逐一的にサーチ比較するステップ四の一と、
その比較判断中に、該当する結果が出来た場合、その予め記憶される識別コードの対応するユーザーのアカウント・データとパスワードとをキャッチするステップ四の二と、
該当する情報を発見しない場合では、エラー・メッセージを表示するステップ四の三とをさらに有することを特徴とする請求項１に記載の指紋識別技術利用ユーザー情報自動記入方法。
【請求項８】
アプリケーション・プログラムの所在するアドレスと、それと対応する少なくとも一人のユーザーの予め記憶される識別コードとアカウント・データとパスワードとを作成するステップ一と、
ユーザーのアカウント・データとパスワードを入力することを要求する前記のアプリケーション・プログラムをオペレーティングさせるステップ二と、
指紋映像信号を入力するとともに、それを指紋識別コードに転換するステップ三と、
前記指紋識別コートと、予め記憶される識別コードと一致しているかを比較判断するステップ四と、
一致した場合に、そのアプリケーション・プログラムの対応するユーザーのアカウント・データとパスワードとをキャッチするステップ五とを少なくとも有することを特徴とする指紋識別技術利用ユーザー情報自動記入方法。
【請求項９】
前記のアプリケーション・プログラムと、それと対応するユーザーの予め記憶される識別コードを作成するステップ一においては、
ユーザーのアカウント・データとパスワードを入力することを要求する前記の少なくとも一つのアプリケーション・プログラムをオペレーティングさせるステップ一の一と、
前記アプリケーション・プログラムにおけるアカウント・データとパスワードを入力すべき箇所にユーザーのアカウント・データとパスワードを記入するステップ一の二と、
ユーザーの指紋映像信号を入力するステップ一の三と、
前記指紋映像信号を予め記憶される識別コードに転換するステップ一の四と、
前記ユーザーの記入するアカウント・データとパスワードとをキャッチするステップ一の五と、
前記アプリケーション・プログラムのファイル・ネームとその所在するアドレスと前記ユーザーの前記予め記憶される識別コードとアカウント・データとパスワードとを記憶するステップ一の六とをさらに有することを特徴とする請求項８に記載の指紋識別技術利用ユーザー情報自動記入方法。
【請求項１０】
前記アプリケーション・プログラムを作成するステップ一において、
データベースを作成し、且つその内部に少なくとも一つの前記のアプリケーション・プログラムのファイル・ネームとその所在するアドレスと、それと対応する少なくとも一人のユーザーの予め記憶されるアカウント・データとパスワードとを記憶するプロセスを有することを特徴とする請求項８に記載の指紋識別技術利用ユーザー情報自動記入方法。
【請求項１１】
前記の指紋映像信号を入力するステップ三において、
コンピュータ・システムに指紋入力モジュールをリンクするプロセスと、ユーザーの指紋を入力するプロセスと、指紋映像信号を生成するプロセスとを有することを特徴とする請求項８に記載の指紋識別技術利用ユーザー情報自動記入方法。
【請求項１２】
前記指紋識別コードへの転換するステップ三において、
指紋識別モジュールによって前記指紋映像信号における指紋の特徴値を繰り出してエンコーディングしてから前記指紋識別コードを生成するプロセスを有することを特徴とする請求項８に記載の指紋識別技術利用ユーザー情報自動記入方法。
【請求項１３】
前記指紋識別コードを比較するステップ四において、
前記アプリケーション・プログラムの対応する予め記憶される識別コードをキャッチするプロセスをさらに有することを特徴とする請求項８に記載の指紋識別技術利用ユーザー情報自動記入方法。
【請求項１４】
前記指紋識別コードを比較判断するステップ四において、
それぞれのユーザーの予め記憶される識別コードが、前記指紋識別コードと一致しているかを逐一的にサーチ比較するステップ四の一と、
その比較判断中に、該当する結果が出来た場合、その予め記憶される識別コードの対応するユーザーのアカウント・データとパスワードとをキャッチするステップ四の二と、
該当する情報を発見しない場合では、エラー・メッセージを表示するステップ四の三とをさらに有することを特徴とする請求項８に記載の指紋識別技術利用ユーザー情報自動記入方法。
【発明の詳細な説明】
【技術分野】
【０００１】
本発明は、指紋識別技術利用ユーザー情報自動記入方法に係わり、特にユーザーの指紋とそのアカウント・データとパスワードなどの状況を結合することによって、ユーザーがホーム・ページ・ブラウザにおいて、またはアプリケーション・プログラムにおいて、指紋を入力する方式によって、自動的にユーザーのアカウント・データとパスワードとを記入する方法に関する発明である。
【背景技術】
【０００２】
さて、人間の指紋には、唯一性を有するとともに、随時に身につけられ、且つ遺失することなどが一切ないため、指紋を個人の身分の確認手段とすることが、既に幅広く、多くの高度の保安システムや関係のある他の場所に使用されてきた。また、科学技術の進歩にしたがって、指紋入力用のハードウェア設備が既にモジュール化される製品が出品されており、且つシングル・チップ・タイプの製品も開発されていることから、それがますます多くのコンピュータの製品に導入されてゆき、且つ多くの取引手段の製品にも応用されている。例えば、クレジット・カード・アクセス装置や金融カード・アクセス装置などに広範的に使用されてゆく傾向を有する。
【０００３】
また、従来では、多くのアプリケーション・プログラムが使用される場合に、または、ホーム・ページを観覧する場合に、ロッグ・インしようとする場合に、ユーザーのアカウント・データとパスワードを入力されるようと要求するものが多くあり、また、所定のアカウント・データとパスワードを使用する場合では、他人が容易にマッチするように当てることができ、また、多くのそれぞれ異なるアカウント・データとパスワードを使用する場合に、ユーザーが混乱して忘れてしまうことがよく生じられるので、多くのコンピュータのユーザーがインターネットを介して内密情報や個人取引情報などをトランスミッションすることに拒否な態度を抱いている。
【０００４】
また、ソフトウェア・テクニックの急激な発展にしたがって、従来では、既にアカウント・データとパスワードとを管理するためのソフトウェアが提案され、多くのユーザーたちに、多くのタイプのアプリケーション・プログラムまたはホームページにおいて、複数セットのアカウント・データとパスワードを使用させられる製品が出品されており、それらは主に、ユーザーのアカウント・データとパスワードとアプリケーション・プログラムとの所在するポジションを一体になるようにリンクし、または、ユーザーのアカウント・データとパスワードと、ホーム・ページのＵＲＬウェブ・サイト・アドレスとを結合するものであり、そのため、ユーザーがあるアプリケーション・プログラムをオペレーティングさせる際に、または、あるＵＲＬのウェブ・サイト・アドレスのホーム・ページにロッグ・インする場合に、自動的にユーザーのアカウント・データとパスワードとを記入することができる。
【０００５】
それらのソフトウェアは、大した便利性を有するが、他人もそのようなソフトウェアを介して他のユーザーのアカウント・データとパスワードによってソフトウェアまたはホーム・ページにロッグ・インできるので、そのような手段は、やはりプライバシーが暴露され、または内密情報が盗用される虞があるので、如何にして、複数のアカウント・データとパスワードとを便利的に利用できるとともに、個人の内密のプライバシーを保守できることが、一つの解決しようとする課題となっている。
【０００６】
そのため、本発明の発明者は、従来の指紋識別技術の漸次的な普及化を利用しつつ、現今の人々の個人の安全とプライバシーに対する漸次的な重要視化に鑑みて、研究開発を進め、一種の指紋識別技術を利用するユーザーに係わる情報を自動的に記入する方法を提案し、前記のアカウント・データとパスワードとの管理ソフトウェアに指紋識別技術を織り込むことによって、指紋確認によりユーザーの身分を識別後に、そのユーザーにかかわるアカウント・データとパスワードとをアプリケーション・プログラムまたはホーム・ページに自動的に記入することによって、設計が合理的で、前記のそれぞれの課題を解消可能な発明を提出するに至った。
【発明の開示】
【発明が解決しようとする課題】
【０００７】
本発明は、指紋入力手段をユーザーの身分を識別する手段とし、ユーザーがプライバシーまたは内密情報を有するアプリケーション・プログラムまたはホーム・ページにロッグ・インする際に、対応するユーザーにかかわるアカウント・データとパスワードを自動的に記入でき、保安の効果性を有するほかに、ユーザーのアカウント・データとパスワードを管理することも容易に達成できる、アカウント・データとパスワードを管理するプロセスに応用される、指紋識別技術利用ユーザー情報自動記入方法を提供することをその主要な解決しようとする課題とする。
【課題を解決するための手段】
【０００８】
前記の目的を図るために、本発明は、一種の指紋識別技術利用ユーザー情報自動記入方法を提供し、それは、まず、ＵＲＬウェブ・サイトと、それと対応する少なくとも一人のユーザーの予め記憶される識別コードとアカウントデータとパスワードを作成し、ユーザーが前記のＵＲＬウェブ・サイトにロッグ・インしようとする場合に、ユーザーのアカウント・データとパスワードを入力するよう要求される際に、ユーザーが指紋映像信号を入力すると、それが指紋識別コードになるように転換される。また、その指紋識別コードが予め記憶される識別コードとが一致するかを比較判断し、一致した場合に、そのＵＲＬウェブ・サイトより対応するユーザーのアカウント・データとパスワードを繰り出して前記ウェブ・サイトにおけるホーム・ページにおける対応するポジションに記入し、それによってホーム・ページにロッグ・インする際に指紋を入力することによってユーザーのアカウント・データとパスワードとを自動的に記入する効果を達成する。
【０００９】
また、本発明は、一種の指紋識別技術利用ユーザー情報自動記入方法を提供し、それは、まず、所定のアドレスにアプリケーション・プログラムと、それと対応する少なくとも一人のユーザーの予め記憶される識別コードとアカウントデータとパスワードを作成し、ユーザーが前記のＵＲＬウェブ・サイトにロッグ・インしようとする場合に、ユーザーのアカウント・データとパスワードを入力するよう要求される際に、ユーザーが指紋映像信号を入力すると、それが指紋識別コードになるように転換され、また、その指紋識別コードが予め記憶される識別コードとが一致するかを比較判断し、一致した場合に、そのアプリケーション・プログラムより対応するユーザーのアカウント・データとパスワードを繰り出して前記アプリケーション・プログラムにおける対応するポジションに記入し、それによって前記のアプリケーション・プログラムをオペレーティングする際に指紋を入力することによってユーザーのアカウント・データとパスワードとを自動的に記入する効果を達成する。
【００１０】
また、好ましくは、前記の本発明の指紋識別技術利用ユーザー情報自動記入方法において、前記ＵＲＬウェブ・サイトまたはアプリケーション・プログラムの対応するユーザーの予め記憶される識別コードを作成するステップにおいて、まず、ユーザーに対しアカウント・データとパスワードを入力するよう要求するホーム・ページまたはアプリケーション・プログラムを始動し、それから、そのホーム・ページまたはそのアプリケーション・プログラムにおける対応するアカウント・データとパスワードの記入要求のポジションにユーザーのアカウント・データとパスワードとを記入し、それから、ユーザーに対し指紋映像信号を入力するよう要求し、且つその入力される指紋映像信号を予め記憶される識別コードに転換し、完成後に、そのユーザーの記入したアカウント・データとパスワードとをキャッチするとともに、それらをＵＲＬウェブ・サイトまたはアプリケーション・プログラムのファイル・ネームとそれらの所在するアドレスと、そのユーザーにかかわる前記の予め記憶される識別コードとアカウント・データとパスワードとを記憶し、それらの操作によってデータベースを作成するようにプロセッシングを実行する。
【発明を実施するための最良の形態】
【００１１】
本発明の達成しようとする目的と、その採用した技術や手段やそれらの効果性などをさらに詳しく解明させるために、以下に、添付図面を参照しながら、本発明の実施可能な優れた実施の形態を詳細的で具体的に説明するが、それらの説明は、単に本発明の実施例に過ぎず、本発明を狭義的に制限を加えるものではないことは言うまでもない。
【００１２】
図１に示すのは、本発明のシステムのメカニズムを示す説明図であり、本発明のその第一の実施の形態において、まず、コンピュータ１０のマザー・ボードにおいて指紋識別モジュール２０を組立て、且つ指紋入力モジュール３０を電気的に接続し、また、そのコンピュータ１０はインターネットにアクセスする機能を有し、複数のＵＲＬウェブ・サイトのホーム・ページ１１をオープンし、また、そのコンピュータ１０が複数のアプリケーション・プログラム１２をオペレーティングさせる能力を有する。
【００１３】
あるウェブ・サイトのホーム・ページ１１またはアプリケーション・プログラム12にロッグ・インしようとする場合に、コンピュータ側より、ユーザーに対し、アカウント・データとパスワードを入力するよう要求するウインドウ１３が打開され、図２に示すのは、あるウェブ・サイトのホーム・ページの実施例を示す説明図であり、図３に示すのは、あるアプリケーション・プログラムの実施例を示す説明図である。本発明は、主に、指紋を入力することによって、ユーザーにかかわるアカウント・データとパスワードを入力し、且つ複数のユーザーの多くのアカウント・データとパスワードを管理記憶できる手段を提供する発明である。本発明による場合、指紋の検証が要求されるので、優れた内密的効果とプライバシー保安効果を入手できる。
【００１４】
また、図１に示すように、その中、指紋入力モジュール３０は、少なくとも一人のユーザーが指紋を入力することによって指紋映像信号を生成するものであり、また、指紋識別モジュール２０が、前記の指紋映像信号においての指紋の特徴を識別するものであり、且つそれを指紋識別コードに転換し、また、本発明は、データベース５０を有し、そこに少なくとも一つのＵＲＬウェブ・サイトのアドレスまたは少なくとも一つのアプリケーション・プログラムのファイル・ネームとその所在するアドレスを記憶しており、且つ対応する少なくとも一人のユーザーの予め記憶された識別コードとそのアカウント・データとパスワードとを記憶しており、そのデータ・ベース５０として不揮発性メモリ装置、例えばフラッシュ・メモリ装置などを使用でき、またはハード・ディスク装置を使用してもよく、且つそのデータ・ベース５０が指紋識別モジュール２０に電気的に接続され、一時にユーザーにかかわる、指紋入力モジュール３０を介して入力される前記の指紋映像信号を記憶する。
【００１５】
また、図４に示すのは、本発明の指紋パスワードの設定するフローを示すフローチャートであり、本発明のこの実施の形態においては、指紋パスワードの管理プロセスを実行するものであり、その管理プロセスによって指紋パスワードのデータベース５０を管理でき、且つ指紋パスワードの自動的にロッグ・インするオペレーティング方式を設定でき、且つ指紋パスワードの自動的ロッグ・イン経路を設定できるなどの機能性を備えており、その指紋パスワードのデータベース５０の管理については、まず、そのデータベース５０を設定し、その内部に少なくともひとつのＵＲＬウェブ・サイトのアドレスと、少なくともひとつの前記のアプリケーション・プログラムのファイル・ネームとその所在するアドレスと、それぞれのＵＲＬウェブ・サイトまたはそれぞれのアプリケーション・プログラムに対応する少なくとも一人のユーザーの予め記憶された識別コードとアカウント・データとパスワードとを記憶する（ステップＳ１００参照）。
【００１６】
また、そのデータベース５０の設立する手数について、まず、少なくとも一つの前記ＵＲＬウェブ・サイトのユーザーのアカウント・データとパスワードを入力するよう要求するホーム・ページを打開し、または、ユーザーのアカウント・データとパスワードを入力するよう要求する少なくとも一つのアプリケーション・プログラムを始動させる（ステップＳ１０２参照）。それから、アカウント・データとパスワードを入力するよう要求するポジションに、ユーザーにかかわるアカウント・データとパスワードを記入し（ステップＳ１０４参照）、そして、ユーザーがアカウント・データとパスワードを記憶するための機能をクリック選択する場合（ステップＳ１０６参照）に、その指紋パスワード管理プロセスが一つの通知ウインドウを表示し、大体図２と図３に示すようであり、その通知ウインドウによってユーザーに対し、指紋を入力するよう要求し（ステップＳ１０８参照）、ユーザーが指紋を指紋入力モジュール３０に入力する後に、指紋映像信号が生じられる（ステップＳ１１０参照）。
【００１７】
この際、指紋識別モジュール２０はその指紋映像信号を予め記憶される識別コードに転換され（ステップＳ１１２参照）、且つユーザーの記入するアカウント・データとパスワードとをキャッチし、打開されるＵＲＬウェブ・サイトまたはオペレーティングしているアプリケーション・プログラムのファイルネームとその所在するアドレスなどにかかわる情報を前記データベースに記憶する（ステップＳ１１４参照）。
【００１８】
本発明の管理プロセスは、それぞれのアカウント・データとパスワードとを入力するよう要求するそれぞれのウェブ・サイトとアプリケーション・プログラムを自動的に偵察をし、且つ自動的にユーザーの指紋のデータベースを作り、予め記憶される識別コードを生成し、且つユーザーのアカウント・デートとパスワードと関係を生じるように処理をし、また、その管理プロセスが複数個のユーザーのデータベースを設立でき、指紋識別技術によって、複数個のユーザーたちを識別し、同一のＵＲＬウェブ・サイトやアプリケーション・プログラムなどを利用させることができるように処置し、それぞれのユーザーに対応するアカウント・データとパスワードによって複数のユーザーにそのウェブ・サイトまたはアプリケーション・プログラムにロッグ・インさせることを管理する。
【００１９】
また、図５に示すのは、本発明の指紋パスワードによって自動的にロッグ・インすることの様子を示すフローチャートであり、ユーザーが、前記ＵＲＬウェブ・サイトまたはアプリケーション・プログラムに対応する予め記憶されるユーザーにかかわる識別コードとアカウント・データとパスワードとをデータベース５０に設定後に（ステップＳ２００参照）、再び同じようなＵＲＬウェブ・サイトのホーム・ページを打開してロッグ・インしようとする場合に、または、再び同じようなアプリケーション・プログラムをオペレーティングさせようとする場合に（ステップＳ２０２参照）、アカウント・データやパスワードなどを入力する手数は必要なくなり、前記管理プロセスが自動的にユーザーの指紋を入力するよう要求するウインドウを表示し（ステップＳ２０４参照）、その際、ユーザーが指紋入力モジュール３０を介して指紋を入力することができるようになり、入力されると、指紋映像信号を生成し（ステップＳ２０６参照）、また、指紋識別モジュール２０が前記指紋映像信号より指紋の特徴値を抽出し、それをエンコーディングして指紋識別コードを生成する（ステップＳ２０８参照）。
【００２０】
それから、前記の予め記憶される識別コードを繰り出し（ステップＳ２１０参照）、それから、前記指紋識別コードと前記予め記憶される識別コードとがマッチするかを比較検証し（ステップＳ２１２参照）、ユーザーの身分を確認し、比較検証の結果が一致する場合に前記ＵＲＬウェブ・サイトまたな前記のアプリケーション・プログラムの対応するユーザーのアカウント・データとパスワードとを繰り出し、且つ対応するポジションに記入し（ステップＳ２１４参照）、マッチしない場合に、エラー・メッセージを表示するウインドウをディスプレイし（ステップＳ２１６参照）、ユーザーに改めて指紋を入力するよう要求し、またはユーザーに対し、この指紋にかかわる情報がまだビルド・インされていないことを知らせる。
【００２１】
その処理の過程中において、複数のユーザーたちが同時に存在する場合、逐一的にそれぞれのユーザーの入力される指紋識別コードが前記の予め記憶される識別コードとが一致するかを繰り返して確認し、それらの比較の結果の中では、マッチするユーザーが発見された場合、そのＵＲＬウェブ・サイトまたはそのアプリケーション・プログラムの対応するユーザーのアカウント・データとパスワードとを繰り出してそれらの対応するポジションに記入する。
【００２２】
本発明による場合、既設のＵＲＬウェブ・サイトまたはアプリケーション・プログラムのデータベースより、打開しようとするホーム・エージまたはオペレーティングさせようとするアプリケーション・プログラムを繰り出して選択に供し、指紋を検証する後に、ユーザーのアカウント・データとパスワードを自動的に記入でき、ユーザーが多くのアカウント・データと複雑なパスワードを記憶する必要は一切なくなっている。
【００２３】
また、本発明の管理プロセスにおいては、管理インターフェースを有し、その中において、ユーザーのデータベースへのビルド・インしたすべてのアカウント・データとパスワードを表示できるほかに、それらのビルド・インされたアカウント・データとパスワードのいずれ一つか複数の情報を修正または削除できるように機能を付与してもよく、また、前記の指紋パスワードによる自動的ロッグ・インする機能を起動または閉鎖させるように設定しもよく、また、すでに記憶されたすべての情報を表示させるように始動または閉鎖する機能を付与してもよく、また、指紋の一回に限定される検証しか受けない機能を起動または閉鎖することができるように設定してもよいことは言うまでもない。
【００２４】
ここで説明したいことは、前記の指紋の一回に限定される検証を受ける機能を設定する場合では、一回だけ指紋検証すれば後続の検証は不要になる機能を設定でき、毎度に指紋を検証する必要を有する硬い設定をなくすことができ、また、多くのユーザーたちが同時に利用しようとする場合に、その一回に限定される指紋検証機能を閉鎖し、そうすると、他人がユーザーのアカウント・データとパスワードとを盗んで使用することを避けられる。
【産業上の利用可能性】
【００２５】
また、前記に開示された図面と説明は、単に本発明の実施可能な実施例に過ぎず、当該分野における技術者は前記の説明に基づいて各種の改造を実施できるが、本発明と相同な効果を達成できる場合では、それらの他の実施の形態も本発明の主張する範囲内に納入されるべきことは言うまでもない。
【図面の簡単な説明】
【００２６】
【図１】本発明のシステムの構成を示す説明図である。
【図２】本発明がホーム・ページに実施される場合の実施の形態を示す説明図である。
【図３】本発明がアプリケーション・プログラムに実施される場合の実施の形態を示す説明図である。
【図４】本発明の指紋パスワードのビルド・インのプロセスを示すフローチャートである。
【図５】本発明の指紋パスワードによる自動的にロッグ・インする場合の状態を示すフローチャートである。
【符号の説明】
【００２７】
１０  コンピュータ
１１  ホーム・ページ
１２  アプリケーション・プログラム
１３  ウインドウ
２０  指紋識別モジュール
３０  指紋入力モジュール
４０  インターネット
５０  データベース
【図１】
2005250776.tif 000003
【図２】
2005250776.tif 000004
【図３】
2005250776.tif 000005
【図４】
2005250776.tif 000006
【図５】
2005250776.tif 000007